(57)【要約】【課題】カメラは使用する期間が長くなると、電気部品の劣化や静電気による破壊や特性の劣化などによりフィルムへ写し込まれる情報の品質に悪影響がある。【解決手段】本発明は、情報を写し込む際に、フィルムの給送に先立って、予め記録する情報の前に少なくとも１パルス以上の写し込みＬＥＤ８１を発光させない信号をポートに設定することにより、劣化した写し込み用の回路やＬＥＤによる写し込みを防止して、数字や文字等が判別できる品位の高い情報記録を実現するカメラである。【選択図】　　図３
2004020744.tif 000002
【特許請求の範囲】
【請求項１】
フィルムを給送する際に撮影情報を該フィルムへ光学的に記録するカメラにおいて、
前記フィルムへ光学的に記録するため、所定数の連続したパルス信号からなるタイミング信号を出力する主制御部と、
前記フィルムに複数のドットで表される少なくとも文字若しくは数字を含んでなる前記撮影情報を前記フィルムへ写し込むために、前記フィルムの給送方向と交差する方向に配列された複数の発光素子を有する記録部と、
前記主制御部より処理速度が遅く、前記タイミング信号と前記撮影情報を前記配列方向に区分して出力する列情報信号により、記録する撮影情報に従って前記複数の発光素子のいずれかを発光させて前記撮影情報の記録を制御する副制御部と、
を具備し、前記副制御部は、前記フィルムの給送に先立って、記録する前記撮影情報の前段で、少なくとも１つ以上の前記パルス信号からなる期間に、前記発光素子を発光させない信号を前記列情報信号に設けることを特徴とするカメラ。
【請求項２】
前記発光素子を発光させない信号は、
前記副制御部から出力する前記列情報信号をＬレベル若しくはハイインピーダンス状態にすることを特徴とする請求項１に記載のカメラ。
【請求項３】
フィルムを給送する際に略一列に並べられた複数の点光源を点滅させて、複数のドットで表された撮影情報を該フィルムへ光学的に記録するカメラにおいて、
前記フィルムへ光学的に記録するため、所定数の連続したパルス信号からなるタイミング信号を出力する主制御部と、
前記主制御部より処理速度が遅く、前記タイミング信号に従って、前記撮影情報の記録を制御する副制御部と、
を具備し、
前記フィルムの給送に先立って、予め記録する前記撮影情報を、前記主制御部から前記副制御部に送信し、該フィルムの給送に伴い、前記主制御部から、所定数のパルス信号を出力し、前記副制御部は該パルス信号をカウントして、少なくとも該パルス信号が１パルス以上のカウント値になったときに、前記主制御部から受信した前記記録情報を出力することを特徴とするカメラ。
【発明の詳細な説明】
【０００１】
【発明の属する技術分野】
本発明は、カメラにおける撮影日時等の撮影情報を光学的にフィルムに写し込む技術に関する。
【０００２】
【従来の技術】
一般に、大半のフィルムカメラは、プリントされた写真に撮影日時等の情報が書き込まれるように、撮影後のフィルム巻き上げ時に撮影コマの隅へ光学的に写し込む機能が搭載されている。
【０００３】
この情報写し込みは、複数の発光ダイオード（ドット型ＬＥＤ）をフィルムの給送方向に対して垂直方向に一列に配列させて、フィルム給送中に書き込む情報に対応して点滅し、図９（ａ）に示すように文字や数字等をドットにより形成している。
【０００４】
本出願人が提案している特開２００１−２０９１０９号公報には、フィルム上に形状および寸法の誤差の少ないデータを写し込む技術が開示されている。これは、フィルム給送用モータの回転量に応じたモータパルス信号を検出し、さらに、パーフォレーションが検出されてから次のパーフォレーションが検出されるまでの間のモータパルス信号の数をカウントし、このカウント値に基づいてＬＥＤの点灯間隔を制御するための点灯間隔パルスを決定する。この点灯間隔パルスの小数部に対応する補正時間をモータパルス信号の周期を参照して演算して、これら点灯間隔パルスの整数部と補正時間とに基づいて、ＬＥＤの点灯間隔を制御しながらデータをフィルムに写し込ませる技術である。
【０００５】
また、カメラ本体側からドットタイプのＬＥＤで写し込む場合には、高感度フィルムに対応したＬＥＤのオン・オフ処理が必要となり、比較的処理速度の速いＣＰＵが使う場合が多く、フィルムの給送位置を検出しながら、直接ＬＥＤを駆動して写し込みを行っている。また、フィルムを給送しながら写し込む場合に、フィルムに露光するアパーチャー部とＬＥＤの位置関係にはフィルムの移動方向で規制があり、自由にレイアウトができない。この引用文献においては、レンズシャッタカメラで、フィルムの前側から写し込む例が開示されている。
【０００６】
また本出願人が提案している特願２００１−０４６６４８号には、一眼レフカメラにおいて、ドットタイプのＬＥＤを用いてフィルムの後ろ側から写し込む方式が紹介されている。
【０００７】
【発明が解決しようとする課題】
通常、カメラの使用期間が長くなると、電気部品の劣化や静電気による破壊や特性の劣化などが生じて、データ写し込み機能による写込みの品質に悪影響を及ぼす場合がある。例えば、特願２００１−０４６６４８号公報に記載される駆動回路では、ＬＥＤの基本特性の１つでもある逆方向電流が増えた場合やＬＥＤのカソード側とグランドの間にあるトランジスタがショートしてしまった場合には、本来の写し込みタイミング以外にＬＥＤが発光してしまい、撮影したフィルムに線状の軌跡を写しこんでしまうことがある。
【０００８】
図２０乃至図２３を参照して、この問題点について説明する。
例えば、図２１に示すような、「’９８　１２　１２」を一例として考えた場合、フィルムの給送方向との関係から、文字は最後の文字「２」、「１」、「２」…と反対方向から写し込まれる。従って、一文字を構成するドットも後方から順に写し込まれることになる。ここで、図２０に示すＬＥＤ８２ａのドット（Ｄ０〜Ｄ６）の内の１つＬＥＤ（Ｄ１）が、劣化により逆方向電流の大きくなった例について説明する。
【０００９】
電源ＶｃｃからサブＣＰＵ８１のＨレベルを出力しているポート（Ｐ００）から、電流制限抵抗群８７の中のＲ１を通り、ＬＥＤ８２ａ（ＤＯ）のアノード（ＡＯ）を通って、カソードから逆方向電流の小さいＬＥＤ８２ａ（Ｄ１）のカソードへ流れ込む。このＤ１が劣化していた場合、電流はアノード（Ａ１）から抵抗Ｒ２を経て、さらに、Ｌレベルを出力しているポート（Ｐ０１）を経由してグランドの経路で流れる。つまり、Ｐ００−Ｒ１−ＤＯ−Ｄ１−Ｒ２−Ｐ０１−ＧＮＤという電流経路が形成される。
【００１０】
同様に、Ｄ４、Ｄ５に不良が発生した場合にも、電流の流れる経路ができ、不必要に発光することになる。これらの発光により、図２２に示すタイミングチャートおける「期間ａ」で表される期間、発光しつづける。その結果、図２３に示すように写真の日付を写し込む部分の右側に数本の軌跡が露光されてしまう。
そこで本発明は、フィルムに撮影に関する情報を写し込むための電気部品の劣化が発生しても、数字や文字等が判別できる品位の高い情報記録を実現する写し込み機能を搭載するカメラを提供することを目的とする。
【００１１】
【課題を解決するための手段】
本発明は上記目的を達成するために、フィルムを給送する際に撮影情報を該フィルムへ光学的に記録するカメラにおいて、前記フィルムへ光学的に記録するため、所定数の連続したパルス信号からなるタイミング信号を出力する主制御部と、前記フィルムに複数のドットで表される少なくとも文字若しくは数字を含んでなる前記撮影情報を前記フィルムへ写し込むために、前記フィルムの給送方向と交差する方向に配列された複数の発光素子を有する記録部と、前記主制御部より処理速度が遅く、前記タイミング信号と前記撮影情報を前記配列方向に区分して出力する列情報信号により、記録する撮影情報に従って前記複数の発光素子のいずれかを発光させて前記撮影情報の記録を制御する副制御部とを具備し、前記副制御部は、前記フィルムの給送に先立って、記録する前記撮影情報の前段で、少なくとも１つ以上の前記パルス信号からなる期間に、前記発光素子を発光させない信号を前記列情報信号に設けるカメラを提供する。また、前記発光素子を発光させない信号は、前記副制御部から出力する前記列情報信号をＬレベル若しくはハイインピーダンス状態にする。
【００１２】
以上のような構成のカメラは、フィルムを給送させて撮影情報を写し込む際に、フィルムの給送に先立って、記録される撮影情報の前に少なくとも１パルス以上の発光素子を駆動させない信号を設定することにより、フィルムか給送されてから撮影情報が写し込まれるまでの期間は発光素子が駆動しない状態にさせることで、写し込み用の回路や発光素子が劣化した誤動作による写し込みを防止させて、数字や文字等の判別を実現させる。
【００１３】
【発明の実施の形態】
以下、図面を参照して本発明の実施形態について詳細に説明する。
図１は、本発明の第１の実施形態におけるカメラの外観構成を示す図である。図１（ａ）は、このカメラを側面から見た図、同図（ｂ）は、その上方からみた上面図、同図（ｃ）は、カメラを正面から見た図である。
この実施形態のカメラにおいては、一眼レフレックス方式で各種の撮影モードを任意に設定可能なシステムを有するカメラを一例としている。
【００１４】
このカメラの構成において、ストロボ部１は、ストロボユニット１５（図２参照）を本体頭頂部内に通常格納して備えられ、必要に応じてポップアップされて発光される。表示部２はＬＣＤ表示パネル１３（図２参照）から構成され、カメラに関する情報を表示するが、特に後述するモード設定用のイメージセレクト釦３の形状と同様なレイアウトで、このＬＣＤ表示パネル上に撮影モードのキャラクタが表示される。
【００１５】
前記イメージセレクト釦３は、後述するＦＫＳＷ４６、ＰＲＳＷ４７、ＳＡＳＷ４８、ＹＫＳＷ４９及びＦＡＳＷ５０等を含むモード設定用のスイッチ群である。これらは、各撮影モードにそれぞれ割り付けられており、ワンタッチで第１モードとしての５種類の撮影モード、例えば、「風景モード」、「ポートレートモード」、「ストップアクションモード」、「夜景モード」または「フルオートモード」から１つを選択することができる。図３に示す各ＳＷ４６〜５０は、押下操作に対応して第１モードから次の後述する第２モードへ切り替わる。
【００１６】
レリーズ釦４は、２段押下げ式のスイッチであり、撮影シーケンスを開始して測距・測光を行うための１段目のファーストレリーズスイッチ１ＲＳＷ４０と、露光を行うための２段目のセカンドレリーズスイッチ２ＲＳＷ４１とから構成される。また、ファインダは、一眼レフレックス方式により撮影レンズ６で結像された被写体像を観察すると共に、その結像面上やその脇に種々の撮影情報が同時に表示され、撮影者はファインダから目を離さずに種々の撮影に関する情報を確認することができる。
【００１７】
次に図２は、カメラの裏蓋１０１を開けた状態を示しており、カメラ本体１０２側の内部には、フィルムカートリッジを装填するためのカートリッジ室１０３と、シャッタ機構１０４と、スプール室１０５が配置され、本実施形態では、ＷＰＲ２３がシャッタ機構１０４の左下方に配置され、外部にはズームレバー１０６とファインダ１０７とが配置される。また、裏蓋１０１側の中央には、図示しないフィルムをカメラ側のレール１０８面に押しつけるための圧板１０９が設けられており、その圧板１０９の右上方には、前記写し込み窓１１０が設けられ、その後方には、基板９１と、写し込み光学系９５と前記基板９１接続する基板９２、そして、前記基板９１とカメラ本体側の基板９５を接続するための基板９０が配置される。
【００１８】
次に、図３は、本発明のカメラの第１の実施形態に係る回路構成を示す。
【００１９】
この構成において、主制御部であるメインＣＰＵ１０は、例えば１００〜１２０Ｐｉｎのピン数を持つＣＰＵで、その内蔵ＲＯＭに記録された所定の制御プログラムを逐次、実行して、周辺の各種ＩＣ等の制御を適宜に行い、このカメラシステムを総合的に制御する。
【００２０】
このメインＣＰＵ１０には、不図示の発振子（１０ＭＨｚ）が接続され、メインＣＰＵ１０の原振を与えるようになっており、また、オートフォーカス（ＡＦ）用のＩＣであるＡＦＩＣ１１と、不揮発性記憶素子であるＥＥＰＲＯＭ１２が接続されている。なお、この実施形態では、オートフォーカス方式の一例として、「ＴＴＬ位相差検出方式」を採用しているが、これに限定されるものではない。
【００２１】
また、メインＣＰＵ１０には、ＬＣＤ表示パネル１３と、デートモジュール１４と、ストロボユニット１５と、インターフェースＩＣ１６がそれぞれ接続されていると共に、後述する各種スイッチ群４０〜５２、５５〜６３と、オートフォーカス時の合焦点及びスイッチの操作時に確認音を発する圧電ブザー（ＰＣＶ）６５が設けられている。
【００２２】
このように構成されたカメラによる撮影シーケンスについて説明する。
【００２３】
まず、ＡＦＩＣ１１は、メインＣＰＵ１０からリセット信号（ＡＦＣＥＮ）Ｓｉｇ１が送られ、リセットされる。次いで、被写体像が撮影レンズ６を通ってＡＦＩＣ１１上面に配置されたフォトセンサアレイ上に結像すると、ＡＦＩＣ１１内部では、光量積分、量子化等の処理が行われ、測距情報としてピントのずれ量が算出される。そして光量積分の終了と共に光量積分処理が終了したことを示す信号（ＡＦＥＮＤ）Ｓｉｇ２がメインＣＰＵ１０へ送られる。
【００２４】
また測距情報は、ＡＦＩＣ１１とメインＣＰＵ１０間の通信を行うことを示す信号（ＡＦＣＥＮ）Ｓｉｇ３と、データ信号（ＤＡＴＡ）Ｓｉｇ４と、同期用クロック信号（ＣＬＫ）Ｓｉｇ５とによって、メインＣＰＵ１０へ転送される。
【００２５】
しかし、フォトセンサアレイの各素子の特性にばらつきがあると、そのままでは正確な測距情報を得ることができない。そこで、ＥＥＰＲＯＭ１２に予めフォトセンサアレイの所定のばらつき情報を記憶させておき、メインＣＰＵ１０は、これを参照して、ＡＦＩＣ１１から得られる測距情報を補正演算する。このＥＥＰＲＯＭ１２には、その他にも、機械的なばらつきや、各種素子の電気的特性のばらつき等々のような調整値が予め記憶されている。
【００２６】
これらの調整値は、必要に応じてＥＥＰＲＯＭ１２を通信可能状態にする信号（ＥＰＣＥＮ）Ｓｉｇ７や、データ信号（ＤＡＴＡ）Ｓｉｇ８や、同期クロック信号（ＣＬＫ）Ｓｉｇ９により読出し可能となる。
【００２７】
なお、これらメインＣＰＵ１０とＡＦＩＣ１１およびＥＥＰＲＯＭ１２、サブＣＰＵ８１との間のデータ授受は、シリアル通信によって行なわれる。また、サブＣＰＵ８１は、６４〜８０Ｐｉｎのピン数を有し、裏蓋１０１に取り付けられ、カメラ本体側に設けられているメインＣＰＵ１０とシリアル信号線Ｓｉｇ１−９とその他の制御信号線とで接続されている。
【００２８】
また、本体側１０２と裏蓋１０１との信号線の接続は、本体側の基板８９上のコネクタ９３と中継フレキシブル基板８９と、裏蓋１０１基板９１上のコネクタ９４とで接続される。サブＣＰＵ８１にはクロック発振子（３２ｋＨｚ）８３と、不図示の発振子（４ＭＨｚ）とが接続される。
【００２９】
さらに、副制御部であるサブＣＰＵ８１には、フィルムを給装しながら、撮影情報をフィルムに記録部である写し込むための、写し込みＬＥＤ８２が、電流制御用抵抗８７を介して接続される。写し込みＬＥＤ８２は、７つのドット型ＬＥＤから構成され、カソードコモンタイプである。それらのコモンには、ＮＰＮ型のトランジスタ８８が接続されており、トランジスタ８８は、メインＣＰＵ１０により制御され、ドット型ＬＥＤ８２のオン・オフを行う。、このドット型ＬＥＤ８２は、点光源である複数の発光素子からなり、列情に配置され、その配列方向はフィルムが給送される方向と交差、具体的には道交している。サブＣＰＵ８１には、写し込みモードを設定するためのＤＭＯＤＳＷ８５と、写し込むデータの設定を行うＤＳＥＴＳＷ８６が接続されている。
【００３０】
そして、インターフェイスＩＣ１６は、メインＣＰＵ１０からのインターフェイスＩＣ起動信号（ＩＦＣＥＮｂ）Ｓｉｇ１１によって起動される。メインＣＰＵ１０とラッチ信号（ＬＡＴＣＨ）Ｓｉｇ１２と、４ｂｉｔバスライン信号（Ｄ０ｂ〜Ｄ３ｂ）Ｓｉｇ１３〜Ｓｉｇ６と、Ｄ／Ａｂ信号Ｓｉｇ１７が用いられてパラレル通信が行われ、被写体輝度の測定、カメラ内温度の測定、フォトトインタラプタ等の出力信号の波形整形、モータの定電圧駆動制御、及び温度安定電圧や温度比例電圧等の各種定電圧の生成また、バッテリの残量チェック、赤外光リモコンの受信、モータドライバの制御、各種ＬＥＤの制御、電源電圧の低電圧監視および、昇圧回路の制御等が行われる。
【００３１】
また、ストロボ発光予告、合焦及び輝度警告は、ファインダ内のＬＥＤ２０を使って撮影者に告知される。被写体輝度の測定は、２分割のシリコン発光ダイオード（ＳＰＤ）で構成される測光センサ２１を用いて行われる。この測光センサ２１の受光面は、画面中央部分とその周辺部分とに２分割されており、画面中央の一部のみで測光を行うスポット測光と、画面全体を使用して測光するマルチ測光との２通りの測光を選択的に行うことができる。
【００３２】
また、インターフェイスＩＣ１６には、メインＣＰＵ１０により制御されるモータドライバＩＣ１２３が接続されている。このモータドライバＩＣ１２３には、焦点調節用のモータ（Ｍ１）２４と、ズーム駆動用のモータ（Ｍ２）２５と、ミラーのアップダウンとフォーカルプレーンシャッタのチャージとフィルム給装用のモータ（Ｍ３）２６が接続される。その他に、モータドライバＩＣ１２３には、セルフタイマ用のＬＥＤ２７と、フォーカルプレーンシャッタの先幕と後幕を保持する為のマグネットが接続される。また、焦点調節用のモータ（Ｍ１）２４とズーム駆動用のモータ（Ｍ２）２５で駆動される機構には、駆動パスルを出力するＬＤＰＩ３２、ズーム位置と移動量を出力するＺＭＰＲ３３、ＺＭＰＩ３４が設けられており、その出力信号は、メインＣＰＵ１０へ送られる。また、モータ（Ｍ３）２６には、回転量を検出する為のＭＴＰＩ２４と、不図示の駆動対象を切り換えるクラッチ機構と、その対象を識別するためのＳＣＰＩ３１が設けられている。
【００３３】
さらに、カメラ本体をセルフタイマで動作中には、セルフ用ＬＥＤ２７を発光させて離れている撮影者に知らせる。また、ＬＣＤ表示パネル１３は、メインＣＰＵ１０から送られるセグメント信号（ＳＥＧ）Ｓｉｇ３４や、コモン信号（ＣＯＭ）Ｓｉｇ３５により、フィルムコマ数、撮影モード、ストロボモード、絞り値及び電池残量等が表示される。また、フィルムの給送の停止位置等を制御するために、フィルムのパーフォレーションを検出するフォトリフレクタＷＰＲ２３を配置する。
【００３４】
さらに、ストロボユニット１５は、撮影時やＡＦ測距時の構助光として機能し、メインＣＰＵ１０から出力された、インターフェイスＩＣ１６のストロボ充電信号（ＳＴＣＨＧ）Ｓｉｇ３６、ストロボ発光開始信号（ＳＴＯＮ）Ｓｉｇ３７及び、トリガ回路を制御する信号（ＳＴＲＧ）Ｓｉｇ３８の各信号にて制御される。更に、ストロボの充電電圧は、ＶＳＴ信号Ｓｉｇ３９としてメインＣＰＵ１０に送られる。
【００３５】
また、スイッチ４０〜５２では、キー信号０〜５（ＫＥＹ０〜ＫＥＹ５）Ｓｉｇ４０〜Ｓｉｇ４５及びキーコモン０〜２（ＫＥＹＣＯＭ０〜２）Ｓｉｇ４６〜Ｓｉｇ４８が検出される。これらの信号によって前記スイッチ４０〜５２の何ヶ所がオンしているかが判る。
【００３６】
また、ズームアップスイッチ（ＺＵＳＷ）４２及びズームダウンスイッチ（ＺＤＳＷ）４３は、鏡枠のズーミング動作を行うためのスイッチである。前記ＺＵＳＷ４２がオンされると長焦点方向に、ＺＤＳＷ４３がオンされると短焦点方向にズーミングが行われる。セルフスイッチ（ＳＥＬＦＳＷ）４４がオンされると、セルフタイマ撮影モードまたはリモコンの待機状態となる。この状態において、２ＲＳＷ４１がオンされれば、セルフタイマ撮影が行われ、図示しないリモコン送信機により撮影指示操作を行えば、リモコンによる撮影が行われる。
【００３７】
ＳＰＯＴＳＷ４５は、オンされると、測光を撮影画面の中央の一部のみを測光センサ２１で行うスポット測光モードとなる。なお、ＳＰＯＴＳＷ４５がオフでの通常の測光は、撮影画面全体を用いて行われる中央重点平均測光モードとなる。また、ストロボスイッチ（ＳＴＳＷ）５は、ストロボの発光モードの切換用スイッチであり、このＳＴＳＷ５１が操作されることにより、通常自動発光モード（ＡＵＴＯ）、赤目軽減自動発光モード（ＡＵＴＯ−Ｓ）、強制発光モード（ＦＩＬＬ−ＩＮ）、ストロボオフモードが切り換えられる。
【００３８】
ポップアップスイッチ（ＰＵＰＳＷ）６１は、ストロボを制御するスイッチである。ＰＵＰＳＷ６１は、ストロボ発光部の動きに連動しており、発光部が上がった状態でオン状態となり、ストロボ充電が行われる。また、被写体が低輝度で、ストロボモードがＢｙ−Ａｕｔｏ−Ｂｙに設定されているときに、ＰＵＰＳＷ６１がオンならば、ストロボ発光が許可される。そして、スイッチ６３は、ストロボ発光のタイミングを取るためのスイッチ（ＸＳＷ６３）である。このＸＳＷ６３は、シャッタの先幕が走行して終了した時点でオンとなり、シャッタチャージ完了時にオフとなる。
【００３９】
次に図４は、カメラ本体側に設けた基板と裏蓋側に設けた基板における構成について説明するための図である。
本体基板８９は、カメラ本体に配置された基板であり、メインＣＰＵ１０、インターフェイスＩＣ１６、モータドライバ１２３、ＬＣＤ表示パネル１３及びコネクタ９３が実装され、それぞれが図示しない配線により接続されている。一方、裏蓋側に配置される裏蓋基板９１には、サブＣＰＵ８１と、コネクタ９４が実装され、本体基板８９と裏蓋基板９１は、コネクタ９３，９４を介して、中継基板９０で接続される。この中継基板９０は、裏蓋とカメラ本体との間のヒンジ部分で自由自在に曲がるように柔らかい材質により形成されるフレキシブル基板が用いられている。前記裏蓋基板９１と、写し込みＬＥＤ８２は中継基板９２で接続される。
【００４０】
次に図５（ａ）、（ｂ）は、撮影コマへのデータを写込む光学系の構成について説明するための図である。
図５（ａ）は、圧板１０９と、写し込み窓１１０と写し込み光学系９５との位置関係を示す図である。図５（ｂ）は、写し込み光学系９５の内部を説明する図である。このような構成により、写し込みＬＥＤ８２から発光された光は、レンズを通過して、一度ミラー若しくはプリズムを通過して、フィルム面に焦点を結ぶように設計されている。
【００４１】
図６は、メインＣＰＵ１０とサブＣＰＵ８１との通信に関する接続関係について説明するための図である。
このメインＣＰＵ１０とサブＣＰＵ８１は、シリアル通信信号線（クロック信号（ＣＬＫ）１３３、データ信号（ＤＯ，ＤＩ）１３４）の他に通信を制御する信号線（チップイネーブル信号（ＣＥＮ）１３１、通信レディ信号（ＲＥＡＤＹ）１３２と、写し込みＬＥＤのスイッチング制御を兼用し、サブＣＰＵ８１の出力を切り換える要求を行うＬＥＤＯＮ信号１３５とで接続される。また、ＬＥＤＯＮ信号１３５には、写し込みＬＥＤ８２のカソードとグランドの間のスイッチングを行なうＮＰＮ型のトランジスタ８８が接続される。また、前記信号線は、中継基板により接続される。中継基板には前記信号線の他に、電源（Ｖｃｃ）１３０と、グランド信号線１３６が接続される。
【００４２】
サブＣＰＵ８１の出力ポートには、ＬＥＤに流れる電流を制限する為の複数の抵抗から構成される電流制御抵用抗８７が接続されており、さらに、ドット型ＬＥＤの集合体である写し込みＬＥＤ８２のアノードに接続される。
【００４３】
また図７は、メインＣＰＵ１０とサブＣＰＵ８１の間のシリアル通信の通信タイミングを説明するためのタイミングチャートである。
この例では、１回の通信データ量を８ｂｉｔとしている。通信要求は、メインＣＰＵ１０からサブＣＰＵ８１への一方通行である。メインＣＰＵ１０が、必要とした時に、サブＣＰＵ８１に、通信要求を出力し、受理されたところで、メインＣＰＵ１０から通信クロックを出力し、通信を行う。
【００４４】
まず、メインＣＰＵ１０から、ＣＥＮ信号１３１をＨレベルで出力し、サブＣＰＵ８１は、ＣＥＮ信号１３１を受けて、通信準備が完了した後、ＲＥＡＤＹ信号１３２をＨレベルで出力する。メインＣＰＵ１０は、ＲＥＡＤＹ信号１３２を受け取った後、通信クロック１３３とデータ出力信号１３４にデータを載せて通信を開始する。その通信が完了すると、ＣＥＮ信号１３１の出力をＬレベルに変更する。サブＣＰＵ８１は、通信データを受け取った後、ＲＥＡＤＹ信号１３２をＬレベルし、８ｂｉｔの通信が完了される。尚、コマンドによっては、後に続くデータのやり取りを同様に行う。
【００４５】
次に、図８に示すタイミングチャートを参照して、フィルム給送中に写込みを行うタイミング制御について説明する。［ａ］巻上モータ２４の制御信号、［ｂ］フィルムのパーフォレーションを検出するためのＷＰＲ２３の出力信号であるＷＰＲ信号、［ｃ］モータの回転を検出するために設けられたＭＴＰＩ１２４の出力信号であるＭＴＰＩ信号、［ｄ］メインＣＰＵ１０から出力されるタイミング信号となるＬＥＤＯＮ信号、［ｅ］サブＣＰＵ８１から出力されるＬＥＤ制御信号である。
また、巻上モータ２４の制御信号は、便宜上オンで、フィルムの巻き上げが開始される。そして、巻上モータ２４には、モータの回転軸にＰＩ羽根が設けられており、この羽根の回転をフォトインタラプタＭＴＰＩ１２４で検出する。メインＣＰＵ１０では、ＷＰＲ信号と、ＭＴＰＩ信号からタイミングよく写し込みができるようにＬＥＤＯＮ信号を出力する。サブＣＰＵ８１は、ＬＥＤＯＮ信号を検出して、ポートの出力を切り換える。
【００４６】
次に図９（ａ）、（ｂ）は、フィルムに写し込た情報について説明する図である。図９（ａ）は、正常な状態で写し込まれた情報形態を示し、図８（ｂ）は、ポート０１のＬＥＤが破壊や特性の劣化などが生じた場合に写し込まれた情報形態を示している。ここでは、９８年１２月１２日即ち、「’９８　１２　１２」を写し込む例について説明する。
【００４７】
写し込むデータは、写し込み用ＬＥＤ８２と、給送されるフィルムの位置関係から、数字の末尾「２」の方から写し込みが行われる。写し込み用ＬＥＤ８２の一つ一つのＬＥＤは下から順に、サブＣＰＵ８１のポートが割り付けられており、順に、０ビット目のポートＰ００、１ビット目のポートＰ０１、…、６ビット目のポートＰ０６となっている。そして、便宜上、図８（ａ）の右から順に、０列目、１列目、…と列番号をふる。実際の写し込みは、後述するようにダミーの２パルスが入力された後、２列目から順に行われる。
【００４８】
この実施形態では、一文字ごとに必要なドット数が予め分かっているので、写し込み前に写し込む文字全部の必要なドット数がわかる。ドット数は、写し込みに必要な、ＬＥＤＯＮ信号のパルス数でもある。
「２」は、５ドット、「１」は３ドット、数字と数字の間のスペースは、「１」との間は２ドット、「１」以外の間は１ドットというように、文字のバランスを考えてスペースを決める。日データとつきデータの間、月と年の間は６ドットというように予め決めてある。
【００４９】
このケースでは、写し込む文字に、４６ドット必用となる。加えて、この発明のポイントとなる写し込み始めにＬＥＤを点灯しないためのパルス数を２パルス設けた。写し込む文字の４６パルスと、ＬＥＤの点灯しない２パルス（所定カウント値）を加えて、４８パルス（所定数のパルス数）となることがわかる。
【００５０】
次に図１０のタイミングチャートを参照して、各ポートにおける写し込み動作について説明する。
まず、メインＣＰＵ１０から出力されるＬＥＤＯＮ信号がＨレベルの間、トランジスタ８８がオンとなり、写し込みＬＥＤ８２の接続されているサブＣＰＵ８１のポートのうち、ＨレベルとなっているＬＥＤが点灯する。ＬＥＤＯＮ信号のＨレベルの時間の長さ（ｔＬＥＤＯＮ）は、フィルム感度に基づいて決定される。
【００５１】
次に、メインＣＰＵ１０は、フィルム給送中に、フィルムのパーフォレーションの間隔を検出するＷＰＲ信号と、前記ＷＰＲ信号１パルスに発生する巻上モータの回転量を示すＭＴＰＩ信号のパルス数から、ＭＴＰＩ信号の１パルスあたりのフィルムの移動量を簡易的に求め、ＭＴＰＩ信号に応じたＬＥＤＯＮ信号を出力するタイミングを求める。
【００５２】
このとき、１回の写込みに必要なＬＥＤＯＮ信号のパルス数は、写し込むデータにより異なるが、写し込むデータに必要なパルスの最大数が予め分かっているので、そのパルス数だけが対象となり、サブＣＰＵ８１により余分なパルスはカットされる。
【００５３】
図９（ａ）に示す列番号に対応して、ＬＥＤＯＮ信号と、サブＣＰＵ８１のポートの出力信号を示している。例えば、ポートＰ０＊に出力されるデータは、写し込むデータに応じてサブＣＰＵ８１内部にテーブルデータとして記憶されており、テーブルを参照して求められる。さらに、点灯するポートは１、消灯するポートは、０で表現される。この例では、カウンタ０、１つまり、０行目と１行目は、Ｌレベル即ちＬＥＤは点灯せず、ＬＥＤＯＮ信号ｔＬＥＤＯＮ２の後に最初のポートＰ００、Ｐ０４、Ｐ０５のＬＥＤが点灯する。特に、本実施形態では、ＬＥＤＯＮ信号のダミーパルスとなる２パルスが入力した後、２列目からポートＰ０＊に出力される。言い換えれば、ダミーとなる最初の２パルスは、ＬＥＤＯＮ信号がＬレベルとなるように制御される。このＬレベルにすれば、ＬＥＤは発光しないため、データ入力前の不要な発光による写し込みを防止することができる。
【００５４】
次に、図１１、図１２及び図１３に一連のフローチャートを参照して、メインＣＰＵ１０の処理動作について説明する。
最初に、カメラ本体側のメインＣＰＵ１０における処理動作について説明する。まず、電池の装填や電源スイッチのオンにより電源が供給され、メインＣＰＵ１０がイニシャライズされる（ステップＳ１）。この時、ＲＡＭ及びポートは初期化され、ＥＥＰＲＯＭ１２より必要なデータが読み出されて展開される。
【００５５】
次に、カメラに設けられた電源ＳＷが操作されたか否か判定し（ステップＳ２）、操作されたならば、電源ＳＷ（ＰＷＳＷ５５）がＯＮされたか否かを判定する（ステップＳ３）。この判定において、電源ＳＷがＯＮされた場合（ＹＥＳ）、撮影レンズを沈胴位量から撮影可能な位置まで繰り出す（ステップＳ４）。一方、ＰＷＳＷ５５がＯＮされなかった場合には（ＮＯ）、撮影レンズを沈胴させた沈胴状態にする（ステップＳ５）。
【００５６】
また、前記ステップＳ２において、ＰＷＳＷ５５が操作されなかった場合には（ＮＯ）、若しくは前記ステップＳ４で撮影レンズが撮影可能な状態まで繰り出した、若しくは前記ステップＳ５で沈胴が完了した場合には、巻き戻しＳＷが操作されたか否かを判定する（ステップＳ６）。
【００５７】
この判定で、巻き戻しＳＷがＯＮされた場合（ＹＥＳ）、フィルムの巻き戻しを行う（ステップＳ７）。この巻き戻しが完了した、若しくは巻き戻しＳＷが操作されず、ＯＮしなかった場合には（ＮＯ）、裏蓋１０１の開閉状態を裏蓋ＳＷ（ＢＫＳＷ５７）が操作されたか否かで判別する（ステップＳ８）。この裏蓋ＳＷが操作されて裏蓋が開けられた状態をＯＮ状態とし、裏蓋が閉じられた状態をＯＦＦ状態とする。このステップＳ８の判定で、操作されたならば（ＹＥＳ）、裏蓋ＳＷがＯＦＦされたか否かを判定する（ステップＳ９）。このステップＳ９の判定でＢＫＳＷ５７がＯＦＦされた（ＯＮからＯＦＦ）ならば（ＹＥＳ）、開いていた裏蓋１０１が閉じられたものと判断して、装填されたフィルムカートリッジからフィルムを引き出してスプールに巻きつけるための空送りを行い（ステップＳ１０）、空送りの成功によりフィルムの装填完了を認識する（ステップＳ１１）。しかし、前記ステップＳ９において、ＢＫＳＷ５７がＯＮされた（ＯＦＦからＯＮ）ならば（ＮＯ）、閉じていた裏蓋１０１が開けられたことを認識する（ステップＳ１２）。
【００５８】
そして、前記ステップＳ８でＢＫＳＷ５７が操作されなかった、即ち裏蓋１０１の開閉がなかった場合（ＮＯ）、若しくは前記ステップＳ１１，Ｓ１２による認識が終了したならば、電源（ＰＷＳＷ５５）がＯＮ状態であるか否かを判定し（ステップＳ１３）、ＯＮしていなければ（ＮＯ）、前記ステップＳ２に戻る。しかし、ＰＷＳＷ５５がＯＮしていたならば（ＹＥＳ）、カメラ本体側のＬＣＤ表示パネル１３に情報を表示して（ステップＳ１４）、例えば、ズームＳＷや撮影モード選択釦等の状態検出やその処理を行い（ステップＳ１５）、レリーズ釦が押下されて１ＲＳＷ４０がＯＮされたか否かを判定する（ステップＳ１６）。
【００５９】
この判定で、１ＲＳＷ４０がＯＮしていなければ（ＮＯ）、前記ステップＳ２に戻る。しかし、１ＲＳＷ４０がＯＮしたならば、測光を行い（ステップＳ１７）、フィルムカートリッジに記載されたフィルム感度を検出し（ステップＳ１８）、シャッタ速度等を決定するための露出演算を行う（ステップＳ１９）。
【００６０】
その後、ＡＦセンサの積分を行い、デフォーカス量を演算して合焦のためのレンズ駆動量を求める（ステップＳ２０，Ｓ２２）。得られたレンズ駆動量に基づいて、合焦用レンズを駆動して（ステップＳ２３）、駆動終了後に合焦用レンズによる合焦は、予め定めた範囲内か否かを判定して（ステップＳ２４）、範囲内を越えていた場合には（ＮＯ）、前記ステップＳ１７に戻り、再度測光からやり直す。しかし、範囲内であれば（ＹＥＳ）、ＬＣＤ表示パネル１３やファインダ内に合焦したことを表すシンボル等を表示する（ステップＳ２５）。
【００６１】
そして、１ＲＳＷ４０がＯＮ状態であるか否かを判定して（ステップＳ２６）、ＯＦＦされていれば（ＮＯ）、前記ステップＳ２に戻る。しかし、１ＲＳＷ４０がＯＮしていれば（ＹＥＳ）、２ＲＳＷ４１がＯＮされたか否かを検出する（ステップＳ２７）。ここで、２ＲＳＷ４１がＯＮされていなければ（ＮＯ）、前記ステップＳ２６に戻って待機し、ＯＮされたならば（ＹＥＳ）、次のステップＳ２８に移行する。
【００６２】
このステップＳ２８で露出を行い、次にフィルムの装填完了しているか否か判定する（ステップＳ２９）。装填完了しているならば（ＹＥＳ）、サブＣＰＵ８１と写し込み開始を通信する。これは、表１に示すような写し込みデータを転送すると共に、写し込み開始を意味するコードを通信して、サブＣＰＵ８１に写し込みの準備をさせ（ステップＳ３０）、フィルムを給送しながら、ＬＥＤＯＮ信号を出力しながら、「フィルムの一駒巻き上げ」を行う（ステップＳ３１）。そして巻き上げ終了後、若しくは、前記ステップＳ２９で、フィルムの装填が完了していなければ（ＮＯ）、フィルムの巻上は必要なく、それぞれ前記ステップＳ２に戻る。
【００６３】
【表１】
2004020744.tif 000003
【００６４】
ここで、０はＬレベルを示し、１はＨレベルを示しているものとする。
この表１は、予めメインＣＰＵからサブＣＰＵへ通信で伝送されているデータを表している。このデータはサブＣＰＵのメモリに格納されているテーブルの状態を示しており、「写し込み開始の通信受信」ととも似、列番号「０」のデータをポートＰ００〜Ｐ０６に出力する。意向、ＬＥＤＯＮ信号の立ち下がりを検出したら、メモリを参照するアドレスを更新し、サブＣＰＵのポートへデータを出力する。この処理は、ＣＰＵの実行速度が遅いため、割り込みを使って処理される。
【００６５】
次に、図１４及び図１５のフローチャートを参照して、サブＣＰＵ８１の処理動作について説明する。
【００６６】
まず、電源の供給によりサブＣＰＵ８１がイニシャライズされる（ステップＳ４１）。この処理において、ポートの設定、ＲＡＭの初期設定、１秒毎の割込み設定等が行われる。次に、通信要求があるか否かを判定する（ステップＳ４２）。この判定で通信要求があった場合（ＹＥＳ）、通信要求（ＣＥＮ）信号の立ち上がりで割込みフラグ１が設定されているため、通信要求フラグが立っていれば、通信処理を行い、メインＣＰＵからのコマンドを受信する（ステップＳ４３）。一方、通信要求が無ければ（ＮＯ）、後述するステップＳ５１に移行する。
【００６７】
次に、受信したコマンドに従った処理に振り分ける（ステップＳ４４）。これは、コマンドに応じた処理が多数あるが詳細な説明は省略し、代表的に、低消費電流モード処理、ＲＡＭデータの読み／書き処理、割込みカウントリセット処理を例として説明する。例えば、低消費電流モードヘの移行処理を行う（ステップＳ４５）。これは、予め設定した割込みが発生すると、その処理を行った後、また低消費電流モードになる。また、ＲＡＭデータの読み／書き処理を行う（ステップＳ４６）。コマンドに続いて、通信が必要な場合には、引き続き通信を行う。
【００６８】
また、写し込み開始コマンドを受信した場合には、続いて発生するＬＥＤＯＮ信号の割込みの回数をカウントするカウンタをリセット「０」し（ステップＳ４７）、割り込み分岐を許可する（ステップＳ４８）。また、写込みモードは、ＤＭＯＤＳＷ８５がオンされる度に、「写し込みしない」→「年月日」→「月日年」→「日月年」→「日時分」→「写し込みしない」の順で切り替わる。
【００６９】
次に、写し込みに必要なデータの第０列目の信号をポートに出力する（ステップＳ４９）。（ステップＳ４９）。例えば、図１０の０列目（Ａ）のデータは、Ｐ０６から順に、０，０，０，０，０，０，０であり、１列目のデータも同様である。ＬＥＤを点灯させるための実際のデータは２列目からとなる。
【００７０】
そして、写し込み準備完了フラグに１を設定する（ステップＳ５０）。次に、１秒毎の割込みが発生したか否かを検出する（ステップＳ５１）。割込みが発生した場合（ＹＥＳ）、１秒の計時を行い、年月日時分秒を更新するカレンダ処理を行う（ステップＳ５２）。このカレンダ処理の終了後、若しくはステップＳ５１で割込みが発生しなかった場合には（ＮＯ）、キー入力による割込みがあったか否かを検出する（ステップＳ５３）。
【００７１】
このステップＳ５３で、割り込みがあった場合（ＹＥＳ）、キー入力に応じた処理を行う（ステップＳ５４）。これは、ＤＭＯＤＳＷを短い時間間隔で押された場合には、写込みモードの変更を行い、一方、２秒以上押し続けられた場合には、時間データの修正処理を行う。時間データの修正処理では、ＤＳＥＴＳＷを押す度に、データを更新し、ＤＭＯＤＳＷを押す度に、「年」→「月」→「日」→「時」→「分」→「修正終了」と、修正するデータの場所を更新する。このキー入力に応じた処理の終了後若しくは、ステップＳ５３で割り込みがなかった場合には（ＮＯ）、上記ステップＳ４２へ戻る。
【００７２】
次に図１５に示すフローチャートを参照して、サブＣＰＵ８１の割込み分岐処理について説明する。
ＬＥＤＯＮ信号の立ち下がりを検出したら、割込み分岐してくる。
まず、写込み準備完了か否かを判定する（ステップＳ６１）。この判定は、写し込み準備完了フラグの有無で判断する。例えば、フラグ１であれば、準備完了しているものと判断され、フラグ０であれば、後述するステップＳ６６へ移行する。
【００７３】
そして、フラグ１であった場合（ＹＥＳ）、ＬＥＤＯＮ信号のカウント数をカウントする（ステップＳ６２）。これは、写し込むデータによって、列数が変化する為に、予め写し込むデータから列数を求める。次に、前記カウント数と、所定の列数を比較し（ステップＳ６３）、カウント数が列数を超えていた場合（ＹＥＳ）、写込みが終了したことと判断され、写込み用ポートをＬレベルにして（ステップＳ６６）、写込み準備完了を解除し割り込みの禁止処理を行う（ステップＳ６７）。具体的には「写込み準備完了フラグ」を０にリセットする。そして、割込み分岐からリターンして写込みを終了する。
【００７４】
また、前記ステップＳ６３の判定で、カウント数が列数以下であった場合には（ＮＯ）、次の列番号に写し込むデータをテーブルを参照して求め（ステップＳ６４）、写込み用ポートにそのデータを出力して（ステップＳ６５）、割り込み処理へリターンする。例えば、図１０の２列目のデータは、Ｐ００からＰ０６へ順に、１，０，０，０，１，１，０である。
【００７５】
次に図１６乃至図１８を参照して、第２の実施形態について説明する。
前述した第１の実施形態では、写し込みをしない期間は、ポートにＬレベルを出力していたが、この第２の実施形態では、ポートをハイインピーダンス（Ｈｉ−ｚ）状態にするところが異なっている。
【００７６】
図１６に示すタイミングチャートを参照して写し込みのタイミングについて説明する。
サブＣＰＵ８１が、「写し込み開始通信」のコマンドを受信した場合、サブＣＰＵ８１は、Ｐ００〜Ｐ０６までのレベルをハイインピーダンス（Ｈｉ−ｚ）に設定する。具体的な例として、ワンチップマイクロコンピュータに備わっている機能を使って、入出力兼用ポートの場合には、入力ポートに設定することや、Ｎ−ｃｈオープンドレインポートの場合には、内蔵プルアップ抵抗を遮断して、Ｈレベルを出力するなどの方法がある。
【００７７】
その後、メインＣＰＵ１０は、巻き上げモータ（モータＭ３　２６）をオンにしてフィルムの給送を開始する。そして、メインＣＰＵ１０がモータの回転に伴い出力されるＭＴＰＩ１２４をカウントしたところで、ＬＥＤＯＮ信号を出力し始める。サブＣＰＵ８１は、メインＣＰＵ１０から出力される所定パルス数（ここでは、２パルス）のＬＥＤＯＮ信号を検出すると、出力ポートに設定した後、写し込みのデータに従い、データを出力する。
【００７８】
図１７は、前述した図１６に示した写し込み部分を拡大したタイミングチャートである。図１８は、サブＣＰＵ８１の動作を説明するためのフローチャートである。尚、図１８に示すフローチャートのステップ符号については、前述した図１４で説明したステップと同じ処理等を行うものには、同じステップ符号を付してその詳細な説明は省略する。
【００７９】
まず、電源の供給によりサブＣＰＵ８１がイニシャライズされる（ステップＳ４１）。この処理において、ポートの設定、ＲＡＭの初期設定、１秒毎の割込み設定等が行われ、さらに、図１７に示すように、Ｐ００からＰ０６を入力ポートに設定しておき、ハイインピーダンスにする。
【００８０】
次に、通信要求の有無を判定を行い、通信要求に基づき通信処理を行い、メインＣＰＵからのコマンドを受信する（ステップＳ４２，Ｓ４３）。次に、受信したコマンドに従った処理に振り分け、それぞれの処理を行う（ステップＳ４５，Ｓ４６）。また、写し込み開始コマンドを受信した場合、ＬＥＤＯＮ信号の割込み回数をリセットして、割り込み分岐を許可する（ステップＳ４７，Ｓ４８）。
【００８１】
次に、ポートＰ００からＰ０６を入力ポートに設定することにより、ハイインピーダンス（Ｈｉ−Ｚ）に設定する（ステップＳ５６）。
【００８２】
以降は、写し込み準備完了フラグに１を設定し、１秒毎の割込み発生の有無を検出し、割込みが発生した場合には、１秒の計時を行い、年月日時分秒を更新して、キー入力による割込みの有無を検出して、その割り込みがあれば、キー入力に応じた処理を行う（ステップＳ５０〜Ｓ５４）。
【００８３】
次に図１９のフローチャートを参照して、「ＬＥＤＯＮ割り込み」について説明する。
まず、ＬＥＤＯＮ信号の立ち下がりを検出したら、割込み分岐する。そして、写込み準備完了か否かを判定する（ステップＳ７１）。この判定は、写し込み準備完了フラグの有無で判断する。例えば、フラグ１であれば、準備完了しているものと判断され、フラグ０であれば、後述するステップＳ７６へ移行する。そして、フラグ１であった場合（ＹＥＳ）、ＬＥＤＯＮ信号のカウント数をカウントする（ステップＳ７２）。これは、写し込むデータによって、列数が変化する為に、予め写し込むデータから列数を求める。
【００８４】
次に、前記カウント数と、所定の列数を比較し（ステップＳ７３）、カウント数が列数を超えていた場合（ＹＥＳ）、写込みが終了したことと判断され、写込み用ポートを入力ポート若しくはハイインピーダンスに設定する（ステップＳ７６）。その後、写込み準備完了を解除し割り込みの禁止処理を行う（ステップＳ８０）。具体的には「写込み準備完了フラグ」を０に設定し、割込み分岐からリターンして写込みを終了する。
【００８５】
また、前記ステップＳ７３の判定で、カウント数が列数以下であった場合には（ＮＯ）、カウント数が２以上か否かを判定する（ステップＳ７５）。この判定で、２以上ならば（ＹＥＳ）、次の列番号に写し込むデータをテーブルを参照し求めて（ステップＳ７７）、写込み用ポートにそのデータを出力して（ステップＳ７８）、割り込み処理へリターンする。一方、ステップＳ７５の判定で、２未満ならば（ＮＯ）、ポートＰ００からＰ０６を入力ポートにすることにより、ハイインピーダンスに設定する（ステップＳ７６）。
【００８６】
以上の実施形態について説明したが、本明細書には以下のような発明も含まれている。
【００８７】
（１）フィルムを給送しながら撮影情報を記録するカメラであって、
マスタとなるメインＣＰＵと、
前記メインＣＰＵよりも処理速度の遅いスレーブとなるサブＣＰＵと、
前記メインＣＰＵと、前記サブＣＰＵは、複数の信号線と制御信号からなる通信手段と、
前記サブＣＰＵから順次出力される列情報信号と、前記メインＣＰＵから出力されるタイミング信号により撮影情報を記録する記録手段と、
を具備し、
前記フィルムの給送に先立って、予め記録する撮影情報を前記メインＣＰＵから、前記サブＣＰＵに送信され、該フィルムの給送に伴い該メインＣＰＵから、第１の所定数の連続したパルス信号からなるタイミング信号が出力され、
前記サブＣＰＵは前記タイミング信号をカウントし、少なくとも１パルス以上の第２の所定カウント値になったところで、該カウント値の示す前記予めメインＣＰＵから受信した記録情報を列情報として順次出力する。
【００８８】
（２）前記第２の所定カウント値になるまでは、前記サブＣＰＵは列情報を“Ｌ”出力もしくは、Ｈｉ−ｚ状態にすることを特徴とする前記（１）項に記載のカメラ。
【００８９】
（３）前記第１の所定パルスは、撮影情報を構成するのに必要なパルス数と、第２のパルス数を加えた数以上であることを特徴とする前記（１）項に記載のカメラ。
【００９０】
（４）フィルムを給送に従い、略一列に並べられた複数の点光源を繰り返しオン・オフしながら、撮影情報を記録するカメラであって、
マスターとなるメインＣＰＵと、
前記メインＣＰＵよりも処理速度の遅いスレーブとなるサブＣＰＵと、
前記メインＣＰＵと前記サブＣＰＵに設けられ、複数の信号線と制御信号からなる通信手段と、
フィルムの給送に先立って、予め記録する情報を、メインＣＰＵからサブＣＰＵに送信され、前記フィルムの給送に伴いメインＣＰＵから、第１の所定数のパルス信号を出力し、前記サブＣＰＵは、上記パルス信号をカウントして、少なくとも１パルス以上の第２の所定カウント値になった時に、カウント値の示す前記予め受信した記録情報を出力開始することを特徴とするカメラ。
【００９１】
（５）フィルムを給送しながら撮影情報を記録するカメラであって、
マスターとなるメインＣＰＵと、
前記メインＣＰＵよりも処理速度の遅いスレーブとなるサブＣＰＵと、
前記メインＣＰＵと前記サブＣＰＵに設けられた、複数の信号線と制御信号からなる通信手段と、
前記サブＣＰＵに設けられ、前記フィルムの給送に先立って予め記録する撮影情報を前記メインＣＰＵから受け取り記憶するメモリと、
前記フィルムの給送に伴い、前記メインＣＰＵから前記第１の所定数のパルス信号を出力し、前記サブＣＰＵは該パルス信号をカウントし、少なくとも１パルス以上の第２の所定カウント値になったところで、該パルス信号に従い、前記メモリから前記撮影情報を順次出力ポートに出力することを特徴とするカメラ。
【００９２】
（６）前記撮影情報は、最初の文字又は数字の先頭に必ずすべての出力ポートがＬレベル若しくはハイインピーダンス状態の信号が付与されたデータであることを特徴とする前記（１）、（４）、（５）のいずれかに記載のカメラ。
【００９３】
【発明の効果】
以上詳述したように本発明によれば、カメラがユーザーの手に渡った後に、静電気下に置かれた場合や、通常の使用範囲を超えた過酷な条件で使用された場合に電気部品の劣化が発生しても、品位の高い情報記録を実現するカメラを提供することができる。
【図面の簡単な説明】
【図１】本発明の第１の実施形態に係るカメラの外観を示す図である。
【図２】第１の実施形態に係るカメラの裏蓋を開けた状態を示す図である。
【図３】第１の実施形態に係る回路構成を示す図である。
【図４】第１の実施形態に係る本体側に設けた基板と、裏蓋側に設けた基板とを示す図である。
【図５】第１の実施形態に係る写込みを行う光学系を示す図である。
【図６】第１の実施形態に係るメインＣＰＵと、サブＣＰＵ８１を接続している通信の信号線を示す図である。
【図７】第１の実施形態に係る通信タイミングを説明するためのタイミングチャートである。
【図８】第１の実施形態に係るフィルム給送中に写込みを行う制御を説明するためのタイミングチャートである。
【図９】第１の実施形態に係るフィルムに正しく写し込こまれた情報とＬＥＤに障害が発生した時に写し込こまれた情報を示す図である。
【図１０】第１の実施形態に係る写し込み信号を示す図である。
【図１１】第１の実施形態に係るメインＣＰＵの処理動作を説明するためのフローチャートである。
【図１２】図１１に続きメインＣＰＵの処理動作を説明するためのフローチャートである。
【図１３】図１２に続きメインＣＰＵの処理動作を説明するためのフローチャートである。
【図１４】第１の実施形態に係るサブＣＰＵの処理動作を説明するためのフローチャートである。
【図１５】第１の実施形態に係るサブＣＰＵの割り込み処理動作を説明するためのフローチャートである。
【図１６】第２の実施形態に係るフィルム給送中に写込みを行う制御を説明するためのタイミングチャートである。
【図１７】第２の実施形態に係る写し込み信号を示す図である。
【図１８】第２の実施形態に係るサブＣＰＵの処理動作を説明するためのフローチャートである。
【図１９】第２の実施形態に係るサブＣＰＵの割り込み処理動作を説明するためのフローチャートである。
【図２０】写し込み用ＬＥＤの回路を示す図である。
【図２１】従来のフィルムに正しく写し込こまれた情報の例を示す図である。
【図２２】従来の写し込み信号を示す図である。
【図２３】従来のＬＥＤに障害が発生した時にフィルムに写し込こまれた情報の例を示す図である。
【符号の説明】
１…ストロボ部
２…表示部
３…イメージセレクト釦
４…レリーズ釦
５…メインＣＰＵ
６…撮影レンズ
１３…ＬＣＤ表示パネル
１５…ストロボユニット
８１…サブＣＰＵ
８７…電流制御用抵抗
９５…写し込み光学系
【図１】
2004020744.tif 000004
【図２】
2004020744.tif 000005
【図３】
2004020744.tif 000006
【図４】
2004020744.tif 000007
【図５】
2004020744.tif 000008
【図６】
2004020744.tif 000009
【図７】
2004020744.tif 000010
【図８】
2004020744.tif 000011
【図９】
2004020744.tif 000012
【図１０】
2004020744.tif 000013
【図１１】
2004020744.tif 000014
【図１２】
2004020744.tif 000015
【図１３】
2004020744.tif 000016
【図１４】
2004020744.tif 000017
【図１５】
2004020744.tif 000018
【図１６】
2004020744.tif 000019
【図１７】
2004020744.tif 000020
【図１８】
2004020744.tif 000021
【図１９】
2004020744.tif 000022
【図２０】
2004020744.tif 000023
【図２１】
2004020744.tif 000024
【図２２】
2004020744.tif 000025
【図２３】
2004020744.tif 000026
【手続補正書】
【提出日】平成14年8月1日(2002.8.1)
【手続補正１】
【補正対象書類名】明細書
【補正対象項目名】００２９
【補正方法】変更
【補正の内容】
【００２９】
さらに、副制御部であるサブＣＰＵ８１には、フィルムを給装しながら、撮影情報をフィルムに写し込むための記録部である写し込みＬＥＤ８２が、電流制御用抵抗８７を介して接続される。写し込みＬＥＤ８２は、７つのドット型ＬＥＤから構成され、カソードコモンタイプである。それらのコモンには、ＮＰＮ型のトランジスタ８８が接続されており、トランジスタ８８は、メインＣＰＵ１０により制御され、ドット型ＬＥＤ８２のオン・オフを行う。このドット型ＬＥＤ８２は、点光源である複数の発光素子からなり、列状に配置され、その配列方向はフィルムが給送される方向と交差、具体的には直交している。サブＣＰＵ８１には、写し込みモードを設定するためのＤＭＯＤＳＷ８５と、写し込むデータの設定を行うＤＳＥＴＳＷ８６が接続されている。